(57)【要約】【課題】階段の上端部が出隅になっている側で階段の壁面及び廊下の壁面に連続して手摺りを取付けることができる手摺りとブラケットの接続金具を提供する。【解決手段】手摺り１の端部を嵌挿する手摺り側接続部材９と、手摺り支持用ブラケットに設けた筒状部７に嵌合固定するブラケット側接続部材１０からなり、前記手摺り側接続部材９の端部に半球部１３と、ブラケット側接続部材１０にこの半球部１３の一部が相対的に回動可能となるよう収まる嵌合筒部１５を設け、前記手摺り側接続部材９とブラケット側接続部材１０を、半球部１３と嵌合筒部１５が相対的な回動を許容する嵌まり合い状態となるようビス２１で結合している。【選択図】図１
2007146483.tif 000002
【特許請求の範囲】
【請求項１】
手摺りの端部を嵌挿する手摺り側接続部材と、手摺り支持用ブラケットに設けた筒状部に嵌合固定するブラケット側接続部材からなり、前記手摺り側接続部材の端部とブラケット側接続部材の端部の一方に半球部と、他方にこの半球部の一部が相対的に回動可能となるよう収まる嵌合筒部を設け、前記手摺り側接続部材とブラケット側接続部材を、半球部と嵌合筒部が相対的な回動を許容する嵌まり合い状態となるよう結合した手摺りとブラケットの接続金具。
【請求項２】
上記手摺り側接続部材が、手摺りの端部を嵌挿する手摺り嵌合筒の端部に、頂部が円形孔によって開口する半球部を設けて形成され、上記ブラケット側接続部材が、手摺り支持用ブラケットの筒状部に挿入固定する取付け部の端部に前記半球部の一部が収まる嵌合筒部を設けて形成され、この嵌合筒部は、先端側内周面に前記半球部の外面に外接する傾斜面と、内部に位置する仕切り壁の中央にねじ孔が設けられ、前記半球部の内部に開口よりも大径となる可動座を組み込み、この可動座を貫通するビスを仕切り壁のねじ孔にねじ込むことにより、前記半球部と嵌合筒部を相対的な回動を許容する嵌まり合い状態となるよう結合した請求項１に記載の手摺りとブラケットの接続金具。
【発明の詳細な説明】
【技術分野】
【０００１】
この発明は、階段の手摺りと壁面に固定した手摺り用ブラケットを結合する接続金具、更に詳しくは、階段の上端部出隅に固定した手摺り用ブラケットと、階段の傾斜に合わせて配置する手摺りを、角度可変に結合することができるようにした手摺りとブラケットの接続金具に関する。
【背景技術】
【０００２】
例えば、階段の上端が廊下等の水平部分になっている条件において、階段の上端部が出隅になっている側で階段の壁面及び廊下にそれぞれ手摺りを取付ける場合、階段の壁面では手摺りを階段の傾斜に沿って傾斜状に取付け、廊下では手摺りを水平に取付けることになるため、階段の上端部出隅部分では、階段の手摺りと廊下の手摺りの端部が、平面的に直角で、廊下の手摺りに対して階段の手摺りが下がり傾斜の角度を持つことになる。
【０００３】
従来、階段の手摺りと廊下の手摺りは、それぞれ専用のブラケットで取付けていたので、階段の上端部出隅部分では、階段の手摺りと廊下の手摺りの端部が分断された配置となっていた。
【発明の開示】
【発明が解決しようとする課題】
【０００４】
ところで、階段の手摺りと廊下の手摺りの端部が分断された配置であると、各手摺りの端部を支持するブラケットが、階段の上端部出隅部分の階段壁面と廊下の壁面のそれぞれに位置するため、上端部出隅部分の外観が見た目に雑然とした感じとなり、好ましくない。
【０００５】
また、階段の手摺りと廊下の手摺りの端部が分断された配置になっていると、上端部出隅部分に手摺りのない部分が発生し、安全の面から好ましくない。
【０００６】
そこで、この発明の課題は、上記した問題点を解決するため、階段の上端部が出隅になっている側で階段の壁面及び廊下にそれぞれ手摺りを取付ける場合、階段の壁面と廊下の壁面に連続して手摺りを取付けることができ、上端部出隅部分の外観を見た目にすっきりと仕上げることができ、しかも、上端部出隅部分にも手摺りを配置することにより安全性の向上が図れる手摺りとブラケットの接続金具を提供することにある。
【課題を解決するための手段】
【０００７】
上記の課題を解決するため、この発明は、手摺りの端部を嵌挿する手摺り側接続部材と、手摺り支持用ブラケットに設けた筒状部に嵌合固定するブラケット側接続部材からなり、前記手摺り側接続部材の端部とブラケット側接続部材の端部の一方に半球部と、他方にこの半球部の一部が相対的に回動可能となるよう収まる嵌合筒部を設け、前記手摺り側接続部材とブラケット側接続部材を、半球部と嵌合筒部が相対的な回動を許容する嵌まり合い状態となるよう結合した構成を採用したものである。
【０００８】
上記手摺り側接続部材が、手摺りの端部を嵌挿する手摺り嵌合筒の端部に、頂部が円形孔によって開口する半球部を設けて形成され、上記ブラケット側接続部材が、手摺り支持用ブラケットの筒状部に挿入固定する取付け部の端部に前記半球部の一部が収まる嵌合筒部を設けて形成され、この嵌合筒部は、先端側内周面に前記半球部の外面に外接する傾斜面と、内部に位置する仕切り壁の中央にねじ孔が設けられ、前記半球部の内部に開口よりも大径となる可動座を組み込み、この可動座を貫通するビスを仕切り壁のねじ孔にねじ込むことにより、前記半球部と嵌合筒部を相対的な回動を許容する嵌まり合い状態となるよう結合した構造とすることができる。
【０００９】
ここで、階段の上端部出隅部分に固定する支持用ブラケットは、内面側が直角となる取付け座の外面から上方に延びるアームの上端に、水平状態で直角に屈曲する両端開放の筒状部を設けて形成されている。
【００１０】
また、上記ブラケット側接続部材は、取付け部が上記筒状部内に適合する外径を有し、嵌合部分をビスで締結すると共に、手摺り側接続部材の手摺り嵌合筒は、その内径に手すりの端部が嵌合し、この嵌合部分がビスで締結される。
【発明の効果】
【００１１】
この発明によると、手摺りの端部を嵌挿する手摺り側接続部材と、手摺り支持用ブラケットに設けた筒状部に嵌合固定するブラケット側接続部材を、半球部と嵌合筒部が相対的な回動を許容する嵌まり合い状態となるよう結合したので、手摺り支持用ブラケットを階段の出隅部分に固定して、階段の壁面と廊下の壁面に連続して手摺りを取付けることができ、上端部出隅部分の処理が一つのブラケットで行えるので、外観を見た目にすっきりと仕上げることができ、見た目の美観を向上させることができる。
【００１２】
また、階段の出隅部分において、階段の壁面と廊下の壁面に連続して手摺りを取付けることができ、出隅部分にも手摺りを配置することにより安全性の向上が図れる。
【００１３】
更に、手摺り支持用ブラケットと手摺りの結合時に手摺りの傾斜角度を自由に設定できるので、階段の傾斜角度の変化に対応することができ、階段の傾斜角度に制約を受けることなく、手摺りの取付けが行える。
【発明を実施するための最良の形態】
【００１４】
以下、この発明の実施の形態を図示例に基づいて説明する。
【００１５】
図３のように、階段Ａの上端部が出隅になっている側で、この階段Ａの壁面Ｂ及び廊下Ｃの壁面Ｄに階段Ａの手摺り１と廊下Ｃの手摺り２を連続して取付けるために、両壁面ＢとＤの出隅部分に固定する支持用ブラケット３と、この支持用ブラケット３に階段Ａの手摺り１と廊下Ｃの手摺り２を結合する接続金具４が用いられる。
【００１６】
上記支持用ブラケット３は、内面側が直角となる取付け座５のコーナー部外面から上方に延びるアーム６の上端に、水平状態で取付け座５の内面側と一致する方向へ直角に屈曲する両端開放の筒状部７を設けて形成されて、出隅部分に内面側を重ねた取付け座５のビス孔８から両壁面ＢとＤにビスをねじ込むことにより、出隅部分に固定される。
【００１７】
上記接続金具４は、階段Ａの手摺り１の端部を嵌挿する手摺り側接続部材９と、手摺り支持用ブラケット３に設けた筒状部７に嵌合固定するブラケット側接続部材１０の組合せからなり、前記手摺り側接続部材９は、手摺り１の端部を内部に嵌挿する手摺り嵌合筒１１の端部に、頂部が円形孔１２によって開口する内外弧状の半球部１３を設けた内部中空に形成されている。
【００１８】
また、上記ブラケット側接続部材１０は、手摺り支持用ブラケット３の筒状部７に挿入してビスで固定する筒状取付け部１４の端部に前記半球部１３の一部が収まる嵌合筒部１５を設けて形成され、この嵌合筒部１５は、先端側内周面に前記半球部１３の外面に外接する傾斜面１６と、内部に位置する仕切り壁１７の中央にねじ孔１８が設けられている。
【００１９】
上記ブラケット側接続部材１０と手摺り側接続部材９を結合するため、上記半球部１３の内部に円形孔１２よりも大径で球面方向に移動自在となる可動座１９を組み込み、この可動座１９の中心孔２０を貫通するビス２１を仕切り壁１７のねじ孔１８にねじ込むことにより、前記半球部１３と嵌合筒部１５を相対的な回動を許容する嵌まり合い状態となるよう結合している。
【００２０】
この発明の手摺りとブラケットの接続金具４は、上記のような構成であり、階段Ａの上端が廊下Ｃ等によって水平部分になっている条件において、階段Ａの上端部が出隅になっている側で階段Ａの壁面Ｂ及び廊下Ｃの壁面Ｄにそれぞれ手摺り１と２を連続して取付けるには、両壁面ＢとＤの出隅部分に内面側を重ねた取付け座５のビス孔８から両壁面ＢとＤにビスをねじ込むことにより、支持用ブラケット３を出隅部分に固定する。
【００２１】
図１（ｂ）の実線のように、接続金具４は、手摺り側接続部材９とブラケット側接続部材１０を結合した組み立て状態とし、上記支持用ブラケット３の階段Ａ側に位置する筒状部７の端部に、この接続金具４のブラケット側接続部材１０の筒状取付け部１４を挿入して筒状部７の外部からねじ込んだビスで固定し、階段Ａの壁面Ｂに階段用の手摺り１を階段Ａの傾斜に沿って傾斜状に配置し、この手摺り１の端部を接続金具４の手摺り側接続部材９における手摺り嵌合筒１１に嵌挿し、手摺り嵌合筒１１の外部からねじ込んだビスで手摺り１を固定する。
【００２２】
上記接続金具４は、半球部１３と嵌合筒部１５が相対的な回動を許容する嵌まり合い状態でブラケット側接続部材１０と手摺り側接続部材９を結合しているので、ブラケット側接続部材１０と手摺り側接続部材９の角度を自由に変化させることが可能となり、図１（ｂ）の二点鎖線のように、筒状部７に固定したブラケット側接続部材１０は水平の配置であるのに対して、手摺り側接続部材９を手摺り１の傾斜角度に傾斜させることができ、水平の筒状部７に対して手摺り１を傾斜状に接続することができる。
【００２３】
また、上記支持用ブラケット３の廊下Ｃ側に位置する筒状部７の端部には、廊下Ｃの壁面Ｄに水平に配置される廊下用手摺り２の端部を、上記と同様接続金具４を用いて接続するか、又は、接続金具４の使用を省いて廊下用手摺り２の端部を筒状部７の端部に直接挿入し、筒状部７の外部からねじ込んだビスで固定すれば、傾斜する階段用手摺り１の端部と水平となる廊下用手摺り２の端部が支持用ブラケット３の筒状部７で連続するように接続することができることになる。
【００２４】
このように、階段Ａの壁面Ｂと廊下Ｃの壁面Ｄに連続して手摺り１と２を取付けることにより、階段Ａの上端部出隅部分の手摺り１と２の処理が一つの支持用ブラケット３で行えるので、外観を見た目にすっきりと仕上げることができ、階段出隅部分の美観を向上させることができる。
【００２５】
また、階段Ａの出隅部分において、階段Ａの壁面Ｂと廊下Ｃの壁面Ｄに連続して手摺り１と２を取付けることにより、出隅部分にも手摺りが存在し、階段Ａの安全性の向上が図れる。
【図面の簡単な説明】
【００２６】
【図１】（ａ）は手摺りとブラケットの接続金具を示す分解斜視図、（ｂ）は同接続金具の組み立て状態を示す縦断側面図
【図２】支持用ブラケットの斜視図
【図３】手摺りとブラケットの接続金具を用い、階段の壁面と廊下の壁面に連続して手摺りを取付けた状態を示す斜視図
【符号の説明】
【００２７】
１          階段の手摺り
２          廊下の手摺り
３          支持用ブラケット
４          接続金具
５          取付け座
６          アーム
７          筒状部
８          ビス孔
９          手摺り側接続部材
１０        ブラケット側接続部材
１１        手摺り嵌合筒
１２        円形孔
１３        半球部
１４        筒状取付け部
１５        嵌合筒部
１６        傾斜面
１７        仕切り壁
１８        ねじ孔
１９        可動座
２０        中心孔
２１        ビス
【図１】
2007146483.tif 000003
【図２】
2007146483.tif 000004
【図３】
2007146483.tif 000005